(57)【要約】  扉板の周辺部の形状や材質の如何にかかわらず取付けが可能な開扉防止装置を提供する。開扉防止装置１は、ドアノブが設けられた扉板を有する戸の開扉を防止するものであって、固定部１０、阻止部２０、及び連結部３０を備えている。固定部１０は、扉板に固定される部分である。阻止部２０は、ドアノブの運動を阻止する部分である。連結部３０は、固定部１０と阻止部２０とを連結する部分である。
2017042855.tif 000002
【特許請求の範囲】
【請求項１】
ドアノブが設けられた扉板を有する戸の開扉を防止する開扉防止装置であって、
前記扉板に固定される固定部と、
前記ドアノブの運動を阻止する阻止部と、
前記固定部と前記阻止部とを連結する連結部と、
を備えることを特徴とする開扉防止装置。
【請求項２】
請求項１に記載の開扉防止装置において、
当該開扉防止装置は、前記戸に対して着脱可能である開扉防止装置。
【請求項３】
請求項２に記載の開扉防止装置において、
前記固定部は、吸盤を有しており、当該吸盤の吸着力により前記扉板に固定される開扉防止装置。
【請求項４】
請求項２又は３に記載の開扉防止装置において、
前記固定部は、磁石を有しており、当該磁石の磁力により前記扉板に固定される開扉防止装置。
【請求項５】
請求項１乃至４の何れかに記載の開扉防止装置において、
前記阻止部は、前記ドアノブに接触した状態で当該ドアノブの運動を阻止する開扉防止装置。
【請求項６】
請求項５に記載の開扉防止装置において、
前記ドアノブは、先端が円周に沿って変位するように運動するレバー型のドアノブである開扉防止装置。
【請求項７】
請求項６に記載の開扉防止装置において、
前記阻止部は、前記固定部及び前記連結部と共に、前記ドアノブの運動方向前方から当該ドアノブを支持するように構成されている開扉防止装置。
【請求項８】
請求項７に記載の開扉防止装置において、
前記阻止部は、Ｕ字状をしており、前記ドアノブを抱持した状態で当該ドアノブを支持する開扉防止装置。
【請求項９】
請求項７又は８に記載の開扉防止装置において、
前記固定部は、前記運動方向前方において前記扉板に固定される開扉防止装置。
【請求項１０】
請求項６に記載の開扉防止装置において、
前記阻止部は、前記固定部及び前記連結部と共に、前記ドアノブの運動方向後方から当該ドアノブを牽引するように構成されている開扉防止装置。
【請求項１１】
請求項１０に記載の開扉防止装置において、
前記阻止部は、フック状をしており、前記ドアノブに掛止された状態で当該ドアノブを牽引する開扉防止装置。
【請求項１２】
請求項１０又は１１に記載の開扉防止装置において、
前記固定部は、前記運動方向後方において前記扉板に固定される開扉防止装置。
【請求項１３】
請求項５に記載の開扉防止装置において、
前記ドアノブは、回転運動する丸型のドアノブである開扉防止装置。
【請求項１４】
請求項１３に記載の開扉防止装置において、
前記阻止部は、前記ドアノブに密着した状態で当該ドアノブの回転運動を阻止する開扉防止装置。
【請求項１５】
請求項１４に記載の開扉防止装置において、
前記阻止部は、前記ドアノブを締め付けるように構成されている開扉防止装置。
【請求項１６】
請求項１５に記載の開扉防止装置において、
前記阻止部は、ベルト状をしており、前記ドアノブに巻き付けられた状態で当該ドアノブを締め付ける開扉防止装置。
【請求項１７】
請求項１６に記載の開扉防止装置において、
前記阻止部は、一方の面に設けられたフックと他方の面に設けられたループとからなるマジックテープを有しており、当該マジックテープにより、前記ドアノブに巻き付けられた状態が維持される開扉防止装置。
【請求項１８】
請求項１５に記載の開扉防止装置において、
前記阻止部は、一方向から前記ドアノブに接する第１の保持部材と、反対方向から前記ドアノブに接する第２の保持部材とを含んでおり、当該第１及び第２の保持部材で前記ドアノブを挟持した状態で当該ドアノブを締め付ける開扉防止装置。
【請求項１９】
請求項１８に記載の開扉防止装置において、
前記固定部及び前記連結部は、２つずつ設けられており、
１つの前記連結部は、１つの前記固定部と前記第１の保持部材とを連結し、
もう１つの前記連結部は、もう１つの前記固定部と前記第２の保持部材とを連結する開扉防止装置。
【請求項２０】
請求項５乃至１９の何れかに記載の開扉防止装置において、
前記阻止部における前記ドアノブに接する部分には、弾性部材が設けられている開扉防止装置。
【請求項２１】
請求項２０に記載の開扉防止装置において、
前記弾性部材は、ゴムである開扉防止装置。
【請求項２２】
請求項１乃至２１の何れかに記載の開扉防止装置において、
前記連結部は、長さを調整できるように構成されている開扉防止装置。
【請求項２３】
請求項１乃至２２の何れかに記載の開扉防止装置において、
前記連結部は、第１の棒状部材と、前記第１の棒状部材に連設された第２の棒状部材とを含んでおり、当該第１及び第２の棒状部材がなす角度を調整できるように構成されている開扉防止装置。
【発明の詳細な説明】
【技術分野】
【０００１】
本発明は、戸の開扉を防止する開扉防止装置に関する。
【背景技術】
【０００２】
従来の開扉防止装置としては、例えば特許文献１に記載されたものがある。同文献に記載された開扉防止装置は、２つの扉板からなる両開き戸（観音開き戸）を対象とするものであって、２つの吸盤と、それらの吸盤どうしを連結するワイヤー等の紐状部材とを備えている。紐状部材を張った状態で２つの扉板のそれぞれに吸盤を吸着させることにより、両開き戸が不用意に開くのを防ぐことができる。
【先行技術文献】
【特許文献】
【０００３】
【特許文献１】実用新案登録第３１０８７３８号公報
【発明の概要】
【発明が解決しようとする課題】
【０００４】
かかる構成の開扉防止装置は、１つの扉板からなる片開き戸に用いることも可能である。しかしながら、その場合、扉板とその周辺部（扉枠、壁面等）とに跨るように開扉防止装置を取り付ける必要がある。そのため、この開扉防止装置は、扉板の周辺部の形状や材質如何によっては、取付けが不能になってしまう。【０００５】
本発明は、上記課題に鑑みてなされたものであり、扉板の周辺部の形状や材質の如何にかかわらず取付けが可能な開扉防止装置を提供することを目的とする。
【課題を解決するための手段】
【０００６】
本発明による開扉防止装置は、ドアノブが設けられた扉板を有する戸の開扉を防止する開扉防止装置であって、上記扉板に固定される固定部と、上記ドアノブの運動を阻止する阻止部と、上記固定部と上記阻止部とを連結する連結部と、を備えることを特徴とする。【０００７】
この開扉防止装置においては、ドアノブの運動を阻止する阻止部が連結部を介して固定部に連結されている。このため、ドアノブ自体の運動を阻止することにより、戸の開扉を防止することができる。それゆえ、この開扉防止装置は、片開き戸に用いられる場合であっても、扉板とその周辺部とに跨るように取り付ける必要がない。したがって、扉板の周辺部の形状や材質の如何にかかわらず、当該開扉防止装置を取り付けることができる。
【発明の効果】
【０００８】
本発明によれば、扉板の周辺部の形状や材質の如何にかかわらず取付けが可能な開扉防止装置が実現される。
【図面の簡単な説明】
【０００９】
【図１】本発明による開扉防止装置の第１実施形態を示す側面図である。
【図２】図１の開扉防止装置を示す正面図である。
【図３】片開き戸に図１の開扉防止装置が取り付けられた状態を示す正面図である。
【図４】図３におけるドアノブ付近を拡大して示す側面図である。
【図５】本発明による開扉防止装置の第２実施形態を示す側面図である。
【図６】図５の開扉防止装置を示す正面図である。
【図７】片開き戸に図５の開扉防止装置が取り付けられた状態を示す正面図である。
【図８】図７におけるドアノブ付近を拡大して示す側面図である。
【図９】本発明による開扉防止装置の第３実施形態を示す側面図である。
【図１０】図９の開扉防止装置を示す正面図である。
【図１１】図９の開扉防止装置における阻止部を示す平面図である。
【図１２】片開き戸に図９の開扉防止装置が取り付けられた状態を示す正面図である。
【図１３】図１２におけるドアノブ付近を拡大して示す正面図である。
【図１４】本発明による開扉防止装置の第４実施形態を示す側面図である。
【図１５】図１４の開扉防止装置を示す正面図である。
【図１６】片開き戸に図１４の開扉防止装置が取り付けられた状態を示す正面図である。
【図１７】図１６におけるドアノブ付近を拡大して示す正面図である。
【図１８】阻止部の変形例を説明するための図である。
【図１９】連結部の変形例を説明するための図である。
【図２０】連結部の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による開扉防止装置の第１実施形態を示す側面図である。また、図２は、図１の開扉防止装置を示す正面図である。開扉防止装置１は、ドアノブが設けられた扉板を有する戸の開扉を防止するものであって、固定部１０、阻止部２０、及び連結部３０を備えている。
【００１２】
固定部１０は、扉板に固定される部分である。具体的には、固定部１０は、扉板の表面に固定される。本実施形態において固定部１０は、吸盤を有しており、当該吸盤の吸着力により扉板に固定される。吸盤の材料としては、例えば、ゴム又は合成樹脂を用いることができる。このように吸盤を用いているため、開扉防止装置１は、戸に対して着脱可能である。ここで、着脱可能とは、戸や開扉防止装置１を汚損することなく、戸に対する開扉防止装置１の取付け及び取外しを容易に行えるということである。
【００１３】
阻止部２０は、ドアノブの運動を阻止する部分である。阻止部２０は、後述するように、ドアノブに接触した状態で当該ドアノブの運動を阻止するものである。阻止部２０は、側面視（図１参照）で、ドアノブを抱持することが可能なＵ字状をしている。阻止部２０の材料としては、例えば、プラスチック、木、金属等を用いることができる。
【００１４】
連結部３０は、固定部１０と阻止部２０とを連結する部分である。本実施形態において連結部３０は、棒状をしている。連結部３０の一端は、固定部１０に固定されている。詳細には、固定部１０を構成する吸盤の摘み部分に、連結部３０の一端が固定されている。そして、連結部３０は、固定部１０の固定面（扉板の表面）に対して略平行な方向に延びている。また、連結部３０の他端は、阻止部２０に固定されている。詳細には、Ｕ字状の阻止部２０の下端部に、連結部３０の他端が固定されている。連結部３０の材料としても、例えば、プラスチック、木、金属等を用いることができる。連結部３０は、阻止部２０と一体に成形されていてもよい。
【００１５】
図３及び図４を参照しつつ、開扉防止装置１の動作を説明する。図３は、片開き戸に開扉防止装置１が取り付けられた状態を示す正面図である。また、図４は、図３におけるドアノブ付近を拡大して示す側面図である。この片開き戸の扉板９２には、ドアノブ９４が設けられている。ドアノブ９４は、レバー型のドアノブである。図３に矢印Ａ１で示すようにドアノブ９４を押し下げることにより、扉板９２の開扉操作を行うことができる。このとき、ドアノブ９４は、先端が円周に沿って変位するように運動する。
【００１６】
図４からわかるように、ドアノブ９４が阻止部２０の内部に入り込むようにして、開扉防止装置１が取り付けられている。すなわち、阻止部２０は、ドアノブ９４の運動方向前方を塞ぐように設けられている。このとき、ドアノブ９４と阻止部２０とは接触していてもよいし、接触していなくてもよい。固定部１０は、ドアノブ９４の運動方向前方において扉板９２に固定されている。
【００１７】
この状態でドアノブ９４を押し下げて開扉操作を行おうとすると、阻止部２０がドアノブ９４に接触する。このとき、阻止部２０は、ドアノブ９４を抱持した状態で当該ドアノブ９４を支持する。このように、本実施形態において阻止部２０は、固定部１０及び連結部３０と共に、ドアノブ９４の運動方向前方から当該ドアノブ９４を支持するように構成されている。これにより、ドアノブ９４の可動域が制限され、ドアノブ９４の運動が阻止される。
【００１８】
開扉防止装置１の効果を説明する。開扉防止装置１においては、ドアノブの運動を阻止する阻止部２０が連結部３０を介して固定部１０に連結されている。このため、ドアノブ自体の運動を阻止することにより、戸の開扉を防止することができる。それゆえ、開扉防止装置１は、片開き戸に用いられる場合であっても、扉板とその周辺部とに跨るように取り付ける必要がない。したがって、扉板の周辺部の形状や材質の如何にかかわらず、開扉防止装置１を取り付けることができる。
【００１９】
開扉防止装置１は、戸に対して着脱可能である。これにより、建物を汚損する心配がないため、開扉防止装置１は、賃貸住宅や外出先においても気軽に使用することができる。例えば、旅行時の宿泊先において部屋の戸に鍵が付いていない場合であっても、部屋の内側から戸に開扉防止装置１を取り付けておけば、部屋の外側から戸を不意に開けられてしまう事態を避けることができる。
【００２０】
固定部１０は、吸盤を有しており、当該吸盤の吸着力により扉板に固定される。これにより、簡易な構成で、戸に対して着脱可能な開扉防止装置１を実現することができる。このように構成が簡易であることは、開扉防止装置１の持ち運びやすさの点で有利である。
【００２１】
阻止部２０は、ドアノブに接触した状態で当該ドアノブの運動を阻止する。これにより、簡易な機構で、ドアノブの運動を阻止することができる。実際、本実施形態においては、阻止部２０が運動方向前方からドアノブを支持するという簡易な機構で、ドアノブの運動が阻止されている。
【００２２】
阻止部２０は、Ｕ字状をしており、ドアノブを抱持した状態で当該ドアノブを支持する。このようにレバー型のドアノブを捕捉しやすい形状とすることにより、阻止部２０によってドアノブを確実に支持することができる。
（第２実施形態）
【００２３】
図５は、本発明による開扉防止装置の第２実施形態を示す側面図である。また、図６は、図５の開扉防止装置を示す正面図である。開扉防止装置２は、ドアノブが設けられた扉板を有する戸の開扉を防止するものであって、固定部１０、阻止部４０、及び連結部３０を備えている。固定部１０及び連結部３０の構成は、第１実施形態で説明したとおりである。
【００２４】
阻止部４０は、ドアノブの運動を阻止する部分である。阻止部４０は、ドアノブに接触した状態で当該ドアノブの運動を阻止するものである。阻止部４０は、ドアノブに掛止されることが可能なフック状をしている（図５参照）。阻止部４０は、その上端部において連結部３０に固定されている。阻止部４０の材料としては、例えば、プラスチック、木、金属等を用いることができる。
【００２５】
図７及び図８を参照しつつ、開扉防止装置２の動作を説明する。図７は、片開き戸に開扉防止装置２が取り付けられた状態を示す正面図である。また、図８は、図７におけるドアノブ付近を拡大して示す側面図である。この片開き戸の構造は、図３に示したものと同様である。
【００２６】
図８からわかるように、ドアノブ９４が阻止部４０の内部に入り込むようにして、開扉防止装置２が取り付けられている。すなわち、阻止部４０は、ドアノブ９４の運動方向前方を塞ぐように設けられている。このとき、ドアノブ９４と阻止部４０とは接触していてもよいし、接触していなくてもよい。固定部１０は、ドアノブ９４の運動方向後方において扉板９２に固定されている。
【００２７】
この状態でドアノブ９４を押し下げて開扉操作を行おうとすると、阻止部４０がドアノブ９４に接触する。このとき、阻止部４０は、ドアノブ９４に掛止された状態で当該ドアノブ９４を牽引する。このように、本実施形態において阻止部４０は、固定部１０及び連結部３０と共に、ドアノブ９４の運動方向後方から当該ドアノブ９４を牽引するように構成されている。これにより、ドアノブ９４の可動域が制限され、ドアノブ９４の運動が阻止される。
【００２８】
開扉防止装置２の効果を説明する。開扉防止装置２においては、ドアノブの運動を阻止する阻止部４０が連結部３０を介して固定部１０に連結されている。このため、ドアノブ自体の運動を阻止することにより、戸の開扉を防止することができる。それゆえ、開扉防止装置２は、片開き戸に用いられる場合であっても、扉板とその周辺部とに跨るように取り付ける必要がない。したがって、扉板の周辺部の形状や材質の如何にかかわらず、開扉防止装置２を取り付けることができる。
【００２９】
阻止部４０は、ドアノブに接触した状態で当該ドアノブの運動を阻止する。これにより、簡易な機構で、ドアノブの運動を阻止することができる。実際、本実施形態においては、阻止部４０が運動方向後方からドアノブを牽引するという簡易な機構で、ドアノブの運動が阻止されている。
【００３０】
阻止部４０は、フック状をしており、ドアノブに掛止された状態で当該ドアノブを牽引する。このようにレバー型のドアノブを捕捉しやすい形状とすることにより、阻止部４０によってドアノブを確実に牽引することができる。開扉防止装置２のその他の効果は、開扉防止装置１と同様である。
（第３実施形態）
【００３１】
図９は、本発明による開扉防止装置の第３実施形態を示す側面図である。また、図１０は、図９の開扉防止装置を示す正面図である。開扉防止装置３は、ドアノブが設けられた扉板を有する戸の開扉を防止するものであって、固定部１０、阻止部５０、及び連結部３０を備えている。固定部１０及び連結部３０の構成は、第１実施形態で説明したとおりである。
【００３２】
阻止部５０は、ドアノブの運動を阻止する部分である。阻止部５０は、ドアノブに接触した状態で当該ドアノブの運動を阻止するものである。阻止部５０は、図１１に示すように、ドアノブに巻き付けることが可能なベルト状をしている。同図は、阻止部５０を示す平面図である。阻止部５０は、その裏面（ドアノブに接する面と反対側の面）において連結部３０に固定されている。阻止部５０の材料としては、例えば、布、革、樹脂、ゴム等を用いることができる。
【００３３】
図１２及び図１３を参照しつつ、開扉防止装置３の動作を説明する。図１２は、片開き戸に開扉防止装置３が取り付けられた状態を示す正面図である。また、図１３は、図１２におけるドアノブ付近を拡大して示す正面図である。この片開き戸の扉板９２には、ドアノブ９６が設けられている。ドアノブ９６は、丸型のドアノブである。ドアノブ９６を回すことにより、扉板９２の開扉操作を行うことができる。このとき、ドアノブ９６は、回転（自転）運動する。
【００３４】
図１３からわかるように、ドアノブ９６に阻止部５０が巻き付けられるようにして、開扉防止装置３が取り付けられている。なお、同図においては、見やすくするためにドアノブ９６と阻止部５０との間に隙間を設けているが、実際には両者は互いに密着している。本実施形態において阻止部５０は、フック及びループからなるマジックテープ（図示せず）を有している。具体的には、阻止部５０の一方の面にフックが設けられ、他方の面にループが設けられている。このマジックテープにより、阻止部５０がドアノブ９６に巻き付けられた状態が維持される。すなわち、阻止部５０の一方の面と他方の面とが重なり合う部分において、双方の面がマジックテープによって互いに固定される。
【００３５】
この状態で開扉操作を行おうとしても、ドアノブ９６は、阻止部５０によって締め付けられているため、その回転運動が阻止される。このように阻止部５０は、ドアノブ９６に密着した状態でドアノブ９６の運動を阻止する。
【００３６】
開扉防止装置３の効果を説明する。開扉防止装置３においては、ドアノブの運動を阻止する阻止部５０が連結部３０を介して固定部１０に連結されている。このため、ドアノブ自体の運動を阻止することにより、戸の開扉を防止することができる。それゆえ、開扉防止装置３は、片開き戸に用いられる場合であっても、扉板とその周辺部とに跨るように取り付ける必要がない。したがって、扉板の周辺部の形状や材質の如何にかかわらず、開扉防止装置３を取り付けることができる。
【００３７】
阻止部５０は、ドアノブに密着した状態で当該ドアノブの回転運動を阻止する。これにより、簡易な機構で、ドアノブの運動を阻止することができる。実際、本実施形態においては、阻止部５０によってドアノブを締め付けるという簡易な機構で、ドアノブの運動が阻止されている。
【００３８】
阻止部５０は、ベルト状をしており、ドアノブに巻き付けられた状態で当該ドアノブを締め付ける。このように丸型のドアノブに密着しやすい形状とすることにより、阻止部５０によってドアノブを確実に締め付けることができる。
【００３９】
阻止部５０は、マジックテープにより、ドアノブに巻き付けられた状態が維持される。このようにマジックテープを用いることにより、様々な大きさのドアノブに阻止部５０を適合させることができる。開扉防止装置３のその他の効果は、開扉防止装置１と同様である。
（第４実施形態）
【００４０】
図１４は、本発明による開扉防止装置の第４実施形態を示す側面図である。また、図１５は、図１４の開扉防止装置を示す正面図である。開扉防止装置４は、ドアノブが設けられた扉板を有する戸の開扉を防止するものであって、固定部１０、阻止部６０、及び連結部３０を備えている。固定部１０及び連結部３０の構成は、第１実施形態で説明したとおりである。ただし、本実施形態においては、固定部１０及び連結部３０が２つずつ設けられている。
【００４１】
阻止部６０は、ドアノブの運動を阻止する部分である。阻止部６０は、ドアノブに接触した状態で当該ドアノブの運動を阻止するものである。阻止部６０は、保持部材６０ａ（第１の保持部材）及び保持部材６０ｂ（第２の保持部材）を含んでいる。これらの保持部材６０ａ，６０ｂは、ドアノブを挟持することが可能な形状をしている。具体的には、各保持部材６０ａ，６０ｂの上面（ドアノブに接する面）は、円筒面状に凹んでいる（図１５参照）。また、保持部材６０ａは、その下面において１つの連結部３０に固定されている。同様に、保持部材６０ｂは、その下面においてもう１つの連結部３０に固定されている。すなわち、１つの連結部３０は、１つの固定部１０と保持部材６０ａとを連結し、もう１つの連結部３０は、もう１つの固定部１０と保持部材６０ｂとを連結している。各保持部材６０ａ，６０ｂの材料としては、例えば、プラスチック、木、金属等を用いることができる。
【００４２】
図１６及び図１７を参照しつつ、開扉防止装置４の動作を説明する。図１６は、片開き戸に開扉防止装置４が取り付けられた状態を示す正面図である。また、図１７は、図１６におけるドアノブ付近を拡大して示す正面図である。この片開き戸の構造は、図１２に示したものと同様である。
【００４３】
ドアノブ９６が阻止部６０によって挟み込まれるようにして、開扉防止装置４が取り付けられている。詳細には、保持部材６０ａが一方向からドアノブ９６に接するとともに、保持部材６０ｂが反対方向からドアノブ９６に接することにより、保持部材６０ａ，６０ｂによってドアノブ９６が挟持されている。
【００４４】
この状態で開扉操作を行おうとしても、ドアノブ９６は、阻止部６０によって締め付けられているため、その回転運動が阻止される。このように阻止部６０は、ドアノブ９６に密着した状態でドアノブ９６の運動を阻止する。
【００４５】
開扉防止装置４の効果を説明する。開扉防止装置４においては、ドアノブの運動を阻止する阻止部６０が連結部３０を介して固定部１０に連結されている。このため、ドアノブ自体の運動を阻止することにより、戸の開扉を防止することができる。それゆえ、開扉防止装置４は、片開き戸に用いられる場合であっても、扉板とその周辺部とに跨るように取り付ける必要がない。したがって、扉板の周辺部の形状や材質の如何にかかわらず、開扉防止装置４を取り付けることができる。
【００４６】
阻止部６０は、ドアノブに密着した状態で当該ドアノブの回転運動を阻止する。これにより、簡易な機構で、ドアノブの運動を阻止することができる。実際、本実施形態においては、阻止部６０によってドアノブを締め付けるという簡易な機構で、ドアノブの運動が阻止されている。
【００４７】
阻止部６０は、互いに反対方向からドアノブに接する保持部材６０ａ，６０ｂを含んでおり、これらの保持部材６０ａ，６０ｂでドアノブを挟持した状態で当該ドアノブを締め付ける。このように丸型のドアノブに密着しやすい構成とすることにより、阻止部６０によってドアノブを確実に締め付けることができる。開扉防止装置４のその他の効果は、開扉防止装置１と同様である。
【００４８】
本発明による開扉防止装置は、上記実施形態に限定されるものではなく、様々な変形が可能である。上記実施形態においては、固定部１０が吸盤を有する例を示した。しかし、固定部１０は、吸盤に代えて、あるいは吸盤と共に、磁石を有していてもよい。その場合、固定部１０は、当該磁石の磁力によりスチール製の扉板に固定することができる。
【００４９】
上記実施形態において、各阻止部２０，４０，５０，６０におけるドアノブに接する部分には、ゴム等の弾性部材が設けられていてもよい。このようにドアノブとの接触部に弾性部材を設けることにより、ドアノブに傷がつきにくくなる。また、阻止部５０，６０については、ドアノブとの間に働く摩擦力を大きくし、ドアノブの運動をより確実に阻止することができる。
【００５０】
上記実施形態においては、レバー型のドアノブの運動を阻止する阻止部として、Ｕ字状の阻止部２０及びフック状の阻止部４０を例示した。しかし、ドアノブの運動を阻止するものである限り、阻止部の形状は任意である。例えば、かかる阻止部として、図１８に示す環状の阻止部７０を用いてもよい。その場合、ドアノブが阻止部７０の内側を通るようにして、開扉防止装置が取り付けられる。
【００５１】
上記実施形態においては、変形しない連結部３０を例示した。しかし、連結部３０は、変形可能であってもよい。例えば、連結部３０は、長さを調整できるように構成されていてもよい。また、連結部３０は、図１９及び図２０に示すように、互いに連設された棒状部材３０ａ（第１の棒状部材）及び棒状部材３０ｂ（第２の棒状部材）を含んでおり、それらの棒状部材３０ａ，３０ｂがなす角度αを調整できるように構成されていてもよい。図１９においては、棒状部材３０ａ，３０ｂが一直線に並んでいる（α＝１８０°）。他方、図２０においては、棒状部材３０ａ，３０ｂが直角に交わっている（α＝９０°）。このように連結部３０が変形可能である場合、開扉防止装置を戸に取り付けた後でも、阻止部の位置を微調整することが可能となる。また、開扉防止装置を戸に取り付けたままでも、必要に応じて開扉操作を行うことが可能となる。
【００５２】
上記実施形態においては、開扉防止装置を片開き戸に用いる例を示した。しかし、本発明による開扉防止装置は、ドアノブが設けられた扉板を有するものである限り、両開き戸や引き戸にも用いることができる。
【符号の説明】
【００５３】
１  開扉防止装置
２  開扉防止装置
３  開扉防止装置
４  開扉防止装置
１０  固定部
２０  阻止部
３０  連結部
３０ａ  棒状部材（第１の棒状部材）
３０ｂ  棒状部材（第２の棒状部材）
４０  阻止部
５０  阻止部
６０  阻止部
６０ａ  保持部材（第１の保持部材）
６０ｂ  保持部材（第２の保持部材）
７０  阻止部
９２  扉板
９４  ドアノブ
９６  ドアノブ
【図１】
2017042855.tif 000003
【図２】
2017042855.tif 000004
【図３】
2017042855.tif 000005
【図４】
2017042855.tif 000006
【図５】
2017042855.tif 000007
【図６】
2017042855.tif 000008
【図７】
2017042855.tif 000009
【図８】
2017042855.tif 000010
【図９】
2017042855.tif 000011
【図１０】
2017042855.tif 000012
【図１１】
2017042855.tif 000013
【図１２】
2017042855.tif 000014
【図１３】
2017042855.tif 000015
【図１４】
2017042855.tif 000016
【図１５】
2017042855.tif 000017
【図１６】
2017042855.tif 000018
【図１７】
2017042855.tif 000019
【図１８】
2017042855.tif 000020
【図１９】
2017042855.tif 000021
【図２０】
2017042855.tif 000022
【国際調査報告】
2017042855.tif 000023
2017042855.tif 000024
2017042855.tif 000025
2017042855.tif 000026